(57)【要約】【課題】コスト上昇を抑えつつ半嵌合を防止することが可能なヒュージブルリンクユニットを提供する。【解決手段】樹脂カバー２６が比較的大きくずれた状態にあっては、半嵌合防止突起３８の存在により、樹脂カバー２６の係止が不能になるようになっている。すなわち、カバー本体４１の上縁部右隅近傍位置が半嵌合防止突起３８に乗り上がり、これに伴って係止部４２が係止突起３４に引っ掛からない状態になることから、係止が不能になるようになっている。樹脂カバー２６の係止が不能であれば、作業者にとって半嵌合位置で作業をしていることが容易に分かることから、ずれを戻して作業をし直せば、樹脂カバー２６は正規の位置に嵌合する。【選択図】図１
2011134528.tif 000002
【特許請求の範囲】
【請求項１】
可溶部を含む導電性のバスバーと、該バスバーの所定位置に一体に成形性される樹脂ハウジングと、前記可溶部を臨むように形成される前記樹脂ハウジングの露出窓部を覆って係止される樹脂カバーと、を備えるヒュージブルリンクユニットにおいて、
前記樹脂カバーを係止する係止突起とは別の凸部となり且つ前記樹脂カバーの半嵌合位置でのみ接触する半嵌合防止突起を前記露出窓部の周囲に一又は複数設ける
ことを特徴とするヒュージブルリンクユニット。
【請求項２】
請求項１に記載のヒュージブルリンクユニットにおいて、
前記樹脂カバーを正規の嵌合位置へと誘導するカバー誘導部を前記半嵌合防止突起に形成する
ことを特徴とするヒュージブルリンクユニット。
【発明の詳細な説明】
【技術分野】
【０００１】
本発明は、可溶部を臨む露出窓部を有するとともにこれを覆って係止される樹脂カバーを有するヒュージブルリンクユニットに関する。
【背景技術】
【０００２】
図４において、下記特許文献１に開示されたヒュージブルリンクユニット１は、自動車のバッテリーに接続されるとともに負荷に対し電源を供給するためのものであって、複数の可溶部２（２ａ、２ｂ〜２ｅ）を含む導電性のバスバー３と、このバスバー３の所定位置に一体に成形性される樹脂ハウジング４、５と、樹脂ハウジング４、５に係止される透明な樹脂カバー６、７とを備えて構成されている。
【０００３】
バスバー３は、樹脂ハウジング４から露出する部分として、図示しないバッテリーターミナルに接続されるバッテリーターミナル接続部分８と、ボルト９を設けて図示しない電線端末のターミナルを接続可能にする電線接続部分１０と、可溶部２ａとを有している。また、樹脂ハウジング５から露出する部分としては、可溶部２ｂ〜２ｅの各部分と、負荷に接続される複数のタブ端子１１と有している。この他露出する部分としては、引用符号１２で示されるヒンジ部を有している。ヒンジ部１２は、この位置で折り曲げられる部分として形成されている。
【０００４】
樹脂ハウジング４、５は、可溶部２ａ〜２ｅを露出するためとして、露出窓部１３、１４を有している。露出窓部１３は、可溶部２ａを樹脂ハウジング４の表裏両方向から臨むことができるように、また、露出窓部１４は、可溶部２ｂ〜２ｅを樹脂ハウジング５の表裏両方向から臨むことができるように形成されている。このような露出窓部１３、１４は、透明な樹脂カバー６、７により覆われるようになっている。尚、露出窓部１３、１４及び透明な樹脂カバー６、７の係止にあっては、係止突起及びこの係止突起に引っ掛かる係止部により行われるようになっている。
【０００５】
尚、露出窓部１３、１４及び透明な樹脂カバー６、７の係止に関しては図４に具体的に示されてないことから、以下図５を参照しながら補足説明をする。
【０００６】
露出窓部１５の長手方向両側部（一方の側部のみ図示）には、略爪状の係止突起１６が形成されている。また、このような露出窓部１５を覆う透明な樹脂カバー１７の長手方向両側部（一方の側部のみ図示）には、略枠形状の係止部１８が形成されている。上記構成において、露出窓部１５を透明な樹脂カバー１７にて覆う際、係止部１８が係止突起１６を乗り越え、そして、係止突起１６に係止部１８が引っ掛かると、これにより透明な樹脂カバー１７は露出窓部１５に対して係止されるようになっている。
【先行技術文献】
【特許文献】
【０００７】
【特許文献１】特開２００１−２９７６８３号公報
【発明の概要】
【発明が解決しようとする課題】
【０００８】
ところで、露出窓部１５を透明な樹脂カバー１７にて覆う作業の際に、露出窓部１５及び透明な樹脂カバー１７の各他方の側部のみが引っ掛かり合っているだけの状態、すなわち透明な樹脂カバー１７が二点差線で示す斜めとなる半嵌合状態（係止突起１６と係止部１８との引っ掛かり合いが不完全な状態）になってしまうと、この後に軽い衝撃を受けただけで透明な樹脂カバー１７は簡単に脱落してしまうという問題点を有している。
【０００９】
尚、半嵌合状態を検知するために高さセンサ等の検査設備を備えることが有効であるが、反面、コスト高になってしまうという問題点を有している。
【００１０】
本発明は、上記した事情に鑑みてなされたもので、半嵌合を防止することが可能なヒュージブルリンクユニットを提供することを課題とする。また、コスト上昇させずに半嵌合状態を検知することが可能なヒュージブルリンクユニットを提供することを課題とする。
【課題を解決するための手段】
【００１１】
上記課題を解決するためになされた請求項１記載の本発明のヒュージブルリンクユニットは、可溶部を含む導電性のバスバーと、該バスバーの所定位置に一体に成形性される樹脂ハウジングと、前記可溶部を臨むように形成される前記樹脂ハウジングの露出窓部を覆って係止される樹脂カバーと、を備えるヒュージブルリンクユニットにおいて、前記樹脂カバーを係止する係止突起とは別の凸部となり且つ前記樹脂カバーの半嵌合位置でのみ接触する半嵌合防止突起を前記露出窓部の周囲に一又は複数設けることを特徴とする。
【００１２】
このような特徴を有する本発明によれば、樹脂ハウジングの露出窓部を樹脂カバーにて覆う際、この覆う作業が正規の位置であれば樹脂カバーは露出窓部に係止され、これにより樹脂カバーは露出窓部に対して完全に嵌合する。一方、半嵌合位置であれば半嵌合防止突起の存在によって樹脂カバーの係止が不能になる。樹脂カバーの係止が不能であれば、作業者にとって半嵌合位置で作業をしていることが容易に分かる。本発明によれば、構造的に樹脂カバーの半嵌合を防止することができ、また、設備を導入しなくとも作業者自身で半嵌合状態を検知することが可能になる。
【００１３】
請求項２記載の本発明のヒュージブルリンクユニットは、請求項１に記載のヒュージブルリンクユニットにおいて、前記樹脂カバーを正規の嵌合位置へと誘導するカバー誘導部を前記半嵌合防止突起に形成することを特徴とする。
【００１４】
このような特徴を有する本発明によれば、例えば樹脂カバーの向きが多少ずれるような作業をしてしまった場合、樹脂カバーの係止が不能になるのではなく、樹脂カバーはカバー誘導部によって正規の位置へと誘導される。本発明によれば、多少のずれを吸収することにより、作業性の向上を図ることが可能になる。
【発明の効果】
【００１５】
請求項１に記載された本発明によれば、露出窓部の周囲に半嵌合防止突起を設けることにより、樹脂カバーの半嵌合を防止することができるという効果を奏する。また、本発明によれば、半嵌合防止突起を設けることにより、コスト上昇させずに半嵌合状態を検知することができるという効果を奏する。
【００１６】
請求項２に記載された本発明によれば、半嵌合防止突起にカバー誘導部を形成することにより、請求項１の効果に加え、作業性の向上を図ることができるという効果を奏する。
【図面の簡単な説明】
【００１７】
【図１】本発明のヒュージブルリンクユニットを示す図であり、（ａ）はヒュージブルリンクユニットの外観斜視図、（ｂ）は要部拡大斜視図である。
【図２】可溶部及び露出窓部を示す斜視図である。
【図３】半嵌合防止突起の作用説明図であり、（ａ）は半嵌合位置での作業の際の図、（ｂ）は正規の嵌合位置へと誘導された状態を示す図である。
【図４】従来例のヒュージブルリンクユニットの図であり、（ａ）は平面図、（ｂ）は正面図である。
【図５】樹脂カバーの係止に係る図であり、（ａ）は正規の嵌合位置での係止状態を示す図、（ｂ）は係止が不完全で樹脂カバーが半嵌合状態となる図である。
【発明を実施するための形態】
【００１８】
以下、図面を参照しながら一実施形態を説明する。図１は本発明のヒュージブルリンクユニットを示す斜視図である。また、図２は可溶部及び露出窓部を示す斜視図、図３は半嵌合防止突起の作用説明図である。
【００１９】
図１において、引用符号２１は本発明のヒュージブルリンクユニットを示している。このヒュージブルリンクユニット２１は、図示しない負荷に対し電源を供給するためのものであって、特に限定するものでないが、例えば自動車のバッテリーのような大電流が供給される部分と、上記負荷に接続される部分とを有している。また、ヒュージブルリンクユニット２１は、過電流が流れた際に自己発熱によって溶断が生じ、これにより回路が遮断される部分も有している。
【００２０】
本発明において、ヒュージブルリンクユニット２１の機能は従来同様であるものとし、この詳細な説明は省略するものとする。
【００２１】
図１及び図２において、ヒュージブルリンクユニット２１は、可溶部２２を含む導電性のバスバー２３と、このバスバー２３の所定位置に一体に成形性される樹脂ハウジング２４と、可溶部２２を臨むように形成される樹脂ハウジング２４の露出窓部２５を覆って係止される透明な樹脂カバー２６、２７とを備えて構成されている。
【００２２】
バスバー２３は、導電性を有する金属板を打ち抜くとともに曲げ加工を施すことにより所定の形状に形成されている。バスバー２３は、この一端側に第一接続部２８が、また、他端側に複数の第二接続部２９が形成されている。第一接続部２８には、導電性を有する金属製のボルト３０が設けられている（図の上方へ突出するように設けられている）。また、各第二接続部２９にも導電性を有する金属製のボルト３１が設けられている（図の手前側へ突出するように設けられている）。
【００２３】
バスバー２３の中間には、略クランク形状となる細幅部３２が複数設けられている。各細幅部３２は、それぞれ第二接続部２９の数に対応するように設けられている。このような細幅部３２の中間には、可溶部２２が加締めによって固定されている。可溶部２２は、例えばスズや鉛等の合金からなるチップであって、過電流が流れると自己発熱により溶断が生じるようになっている。
【００２４】
樹脂ハウジング２４は、絶縁性を有する樹脂材料を用いてインサート成形することにより形成される部分であって、このような樹脂ハウジング２４には露出窓部２５が設けられている。露出窓部２５は、バスバー２３の中間に対応する位置に設けられており、細幅部３２及び可溶部２２を臨むことができるように形成されている。露出窓部２５は、可溶部２２の周囲に空間が生じるように形成されている。露出窓部２５は、矩形の空室形状に形成されている。
【００２５】
露出窓部２５の左右両側部３３には、樹脂カバー２６、２７を係止するための係止突起３４がそれぞれ二つずつ上下に並んで設けられている。係止突起３４は、略爪状の突起であって、係止面３５と案内面３６とを有している。本形態において、下側の係止突起３４は、露出窓部２５の前方から嵌合する樹脂カバー２６を係止する部分として、また、上側の係止突起３４は、露出窓部２５の後方から嵌合する樹脂カバー２７を係止する部分として配設されている。
【００２６】
露出窓部２５における前側の上縁部３７には、本発明の特徴となる半嵌合防止突起３８が二つ設けられている。また、露出窓部２５における後側の下縁部にも本発明の特徴となる半嵌合防止突起３８が二つ設けられている（こちらの図示は省略するものとする）。前側の上縁部３７における二つの半嵌合防止突起３８は、同じ高さ位置で配設されている。また、後側の下縁部における二つの半嵌合防止突起３８も同じ高さ位置で配設されている。各半嵌合防止突起３８は、縁部左隅近傍位置と縁部右隅近傍位置とに配設されている（配設位置や数は一例であるものとする）。
【００２７】
各半嵌合防止突起３８は、略爪状の突起であるものの係止するための突起ではなく、樹脂カバー２６、２７の露出窓部２５に対する半嵌合を防止するための突起として形成されている（半嵌合防止突起３８の作用については後述する）。このような各半嵌合防止突起３８は、突出先端となる頂部３９と、露出窓部２５の縁部に向けて傾斜するカバー誘導部４０とを有している。カバー誘導部４０は、頂部３９に連続するように配置形成されている。カバー誘導部４０は、樹脂カバー２６、２７を正規の嵌合位置へと誘導する部分として形成されている。
【００２８】
各半嵌合防止突起３８は、露出窓部２５の周囲であって、樹脂カバー２６、２７の半嵌合位置でのみ接触するように配設されている。
【００２９】
樹脂カバー２６、２７は、共に同じものであって、透明で耐熱性のある樹脂材料を用いて成形されている。樹脂カバー２６、２７は、略帯板形状のカバー本体４１と、このカバー本体４１の左右両側部分に連成される略枠形状の係止部４２とを有している。カバー本体４１は、露出窓部２５を覆う部分として設けられている。係止部４２は、係止突起３４に引っ掛かり係止される部分として設けられている。係止部４２は、外側へ開くような可撓性を有している。
【００３０】
係止部４１は、露出窓部２５を樹脂カバー２６、２７にて覆う際、案内面３６を摺動しながら係止突起３４を乗り越えるような部分になっている。また、係止部４２は、係止突起３４の係止面３５に引っ掛かり係止されるような部分になっている。係止部４２が係止突起３４に引っ掛かり係止されると、これにより樹脂カバー２６、２７が露出窓部２５に対して係止され、露出窓部２５に対する嵌合が完了するようになっている。
【００３１】
上記構成において、図２の破線で示す如く樹脂カバー２６が比較的大きくずれた状態に作業された場合にあっては、半嵌合防止突起３８の存在により、図３（ａ）に示す如く樹脂カバー２６の係止が不能になるようになっている。すなわち、カバー本体４１の上縁部右隅近傍位置が半嵌合防止突起３８（頂部３９）に乗り上がり、これに伴って係止部４２が係止突起３４に引っ掛からない状態になることから、係止が不能になるようになっている。樹脂カバー２６の係止が不能であれば、作業者にとって半嵌合位置で作業をしていることが容易に分かることから、ずれを戻して作業をし直せば、図３（ｂ）に示す如く樹脂カバー２６は正規の位置に嵌合する。
【００３２】
本発明において、半嵌合防止突起３８はカバー誘導部４０を有することから、例えば樹脂カバー２６の向きが多少ずれるような作業をしてしまった場合、次のように作用する。すなわち、多少のずれであれば樹脂カバー２６の係止が不能になるのではなく、樹脂カバー２６はカバー誘導部４０の傾斜によって正規の位置へと誘導され、この後に図３（ｂ）に示す如く正規の位置に嵌合する。
【００３３】
以上、図１ないし図３を参照しながら説明してきたように、本発明によれば、露出窓部２５の周囲に半嵌合防止突起３８を設けることにより、高さセンサ等の検査設備を備えなくても半嵌合状態を検知することができる。従って、本発明によれば、コスト上昇を抑えつつ樹脂カバー２６、２７の半嵌合を防止することができるという効果を奏する。
【００３４】
本発明は本発明の主旨を変えない範囲で種々変更実施可能なことは勿論である。
【符号の説明】
【００３５】
２１…ヒュージブルリンクユニット
２２…可溶部
２３…バスバー
２４…樹脂ハウジング
２５…露出窓部
２６、２７…樹脂カバー
２８…第一接続部
２９…第二接続部
３０、３１…ボルト
３２…細幅部
３３…側部
３４…係止突起
３５…係止面
３６…案内面
３７…上縁部
３８…半嵌合防止突起
３９…頂部
４０…カバー誘導部
４１…カバー本体
４２…係止部
【図１】
2011134528.tif 000003
【図２】
2011134528.tif 000004
【図３】
2011134528.tif 000005
【図４】
2011134528.tif 000006
【図５】
2011134528.tif 000007